(57)【要約】【課題】天井の工事等を行なうことなく、簡単な作業でプロジェクタ本体を天井に吊下げて取付ける。【解決手段】プロジェクタ装置１１は、スクリーン２に映像を投影するプロジェクタ本体１２に、天井ローゼット８に係合するプロジェクタ引掛けシーリング１３を設ける構成としている。従って、プロジェクタ本体１２は、天井１Ｃに予め設けられた照明装置１６用の天井ローゼット８を利用して簡単に取付けることができる。また、天井ローゼット８は電源側に接続されているから、この天井ローゼット８を利用してプロジェクタ本体１２に給電することができ、邪魔な電源コードを省略することができる。【選択図】        図２
2004184768.tif 000002
【特許請求の範囲】
【請求項１】
前方のスクリーンに映像を投影するプロジェクタ本体と、天井に設けられた照明装置吊下用の天井ローゼットに取付けられるプロジェクタ引掛けシーリングとを備え、前記プロジェクタ本体は前記プロジェクタ引掛けシーリングを前記天井ローゼットに係合することにより天井側に取付けると共に電源に接続する構成としてなるプロジェクタ装置。
【請求項２】
前記プロジェクタ本体には、照明装置を吊下げると共に電源に接続するため、該照明装置に設けられた照明引掛けシーリングが係合する照明ローゼットを設ける構成としてなる請求項１に記載のプロジェクタ装置。
【請求項３】
前記プロジェクタ引掛けシーリングと照明装置の照明引掛けシーリングが係合する照明ローゼットとが設けられたアダプタを有し、前記プロジェクタ本体は該アダプタに対しアームを用いて取付ける構成としてなる請求項１に記載のプロジェクタ装置。
【請求項４】
前記プロジェクタ本体には、照明装置を一体的に設ける構成としてなる請求項１に記載のプロジェクタ装置。
【請求項５】
前記プロジェクタ本体は、ワイヤレス方式により映像信号を受信する構成としてなる請求項１，２，３または４に記載のプロジェクタ装置。
【請求項６】
前記プロジェクタ本体は、映像を投影する位置を前記スクリーンに合わせて上，下方向に調整可能に設ける構成としてなる請求項１，２，３，４または５に記載のプロジェクタ装置。
【発明の詳細な説明】
【０００１】
【発明の属する技術分野】
本発明は、例えばスクリーンに映像を投影するプロジェクタ装置に関し、特に、天井に吊下げて設置するようにしたプロジェクタ装置に関する。
【０００２】
【従来の技術】
映画を始めとする各種映像は大きな画面で観賞したいという、大画面化に対する要求が近年ますます強くなっている。この大画面化の要求に応えるべく、プラズマディスプレイパネル（ＰＤＰ）等を用いた大画面テレビが盛んに開発されている。しかし、プラズマディスプレイパネルを用いた大画面テレビは非常に高価になるという欠点を有している。
【０００３】
そこで、低価格で大画面、例えば６０インチを越える画面サイズを得ることができるものとして、プロジェクタ装置が注目されている。このプロジェクタ装置による映像は、プレゼンテーション、教育用映像等だけに留まらず、家庭用としても普及し始めている。
【０００４】
また、プロジェクタ装置で、映画等を楽しむ場合には、プロジェクタ装置を台の上に載せ、電源コードをコンセントに接続し、映像信号用のコードをビデオテープ等を再生する再生装置に接続する。これにより、プロジェクタ装置は、再生装置で再生された映像を壁に掛けたスクリーンに投影することができる。
【０００５】
しかし、プロジェクタ装置を台上に載置して使用した場合には、電源コード、映像信号用のコード等が床板上を延びることになるから、コードに引っ掛かる虞がある。このため、プロジェクタ装置は常時設置したままの状態にできないから、プロジェクタ装置を使用するときには、毎回設置作業、コードの接続作業等を行なわなければならない。
【０００６】
そこで、プロジェクタ装置には、ブラケットを用いて天井に吊下げた状態で設置する構成としたものがある。この天井吊下げ型のプロジェクタ装置は、プロジェクタ本体と、該プロジェクタ本体を天井に取付けるブラケットとからなり、前記ブラケットを天井にボルト等を用いて固定することにより、通常の生活で邪魔にならない位置に配設されている（例えば、特許文献１、特許文献２参照）。
【０００７】
【特許文献１】
特開２００２−７２３５２号公報
【特許文献２】
特開平７−１６７３８２号公報
【０００８】
【発明が解決しようとする課題】
ところで、上述した従来技術によるプロジェクタ装置は、ブラケットを取付けるための天井の工事（穴あけ等）、電源コードが邪魔にならないように天井、壁に沿って配置する工事等が必要になるから、最初に設置するときの作業費用が嵩んでしまうという問題がある。
【０００９】
しかも、集合住宅等では、使用契約の関係で、天井に穴あけ等の工事を施すことができない場合があり、その場合プロジェクタ装置は天井に取付けることができないという問題がある。
【００１０】
本発明は上述した従来技術の問題に鑑みなされたもので、本発明の目的は、天井の工事等を行なうことなく、簡単な作業でプロジェクタ本体を天井に吊下げて取付けることができるようにしたプロジェクタ装置を提供することにある。
【００１１】
【課題を解決するための手段】
上述した課題を解決するために、請求項１の発明によるプロジェクタ装置は、前方のスクリーンに映像を投影するプロジェクタ本体と、天井に設けられた照明装置吊下用の天井ローゼットに取付けられるプロジェクタ引掛けシーリングとを備え、前記プロジェクタ本体は前記プロジェクタ引掛けシーリングを前記天井ローゼットに係合することにより天井側に取付けると共に電源に接続する構成としている。
【００１２】
このように構成したことにより、プロジェクタ本体を天井に取付ける場合には、天井に予め設けられた照明装置用の天井ローゼットを利用し、該天井ローゼットにプロジェクタ引掛けシーリングを係合させるだけで、天井の工事を行なうことなくプロジェクタ本体を簡単に取付けることができる。しかも、天井ローゼットは電源に接続されているから、該天井ローゼットを利用してプロジェクタ本体に給電することができる。
【００１３】
請求項２の発明によると、プロジェクタ本体には、照明装置を吊下げると共に電源に接続するため、該照明装置に設けられた照明引掛けシーリングが係合する照明ローゼットを設ける構成としたことにある。
【００１４】
このように構成したことにより、照明装置用の天井ローゼットをプロジェクタ引掛けシーリングで占有した場合でも、プロジェクタ本体に設けられた照明ローゼットに照明引掛けシーリングを係合させることによって照明装置を設置することができる。
【００１５】
請求項３の発明によると、プロジェクタ引掛けシーリングと照明装置の照明引掛けシーリングが係合する照明ローゼットとが設けられたアダプタを有し、プロジェクタ本体は該アダプタに対しアームを用いて取付ける構成としたことにある。
【００１６】
このように構成したことにより、アームは種々のプロジェクタ本体をアダプタ側に取付けることができる。また、アダプタに設けられた照明ローゼットに照明引掛けシーリングを係合させることによって照明装置を設置することができる。
【００１７】
請求項４の発明によると、プロジェクタ本体には、照明装置を一体的に設ける構成としているので、プロジェクタ本体と照明装置とをコンパクトに形成することができる。また、プロジェクタ本体等に対する照明装置の取付作業を省略することができる。
【００１８】
請求項５の発明によると、プロジェクタ本体は、ワイヤレス方式により映像信号を受信する構成としているので、信号コードを用いることなく映像信号を受信することができ、配線作業を省略することができる。
【００１９】
請求項６の発明によると、プロジェクタ本体は、映像を投影する位置をスクリーンに合わせて上，下方向に調整可能に設ける構成としているので、スクリーンの高さ位置を変更した場合でも、プロジェクタ本体が投影する映像の位置をスクリーンの位置に合わせることができる。
【００２０】
ここで、前述した請求項１ないし請求項６において、ローゼット、引掛けシーリングとは、角型、丸型の形状が一般的であるが、プロジェクタ本体、照明装置等の荷重を吊下げるのに十分な強度を有しているものであれば、角型、丸型に限るものではない。
【００２１】
また、前述した請求項１ないし請求項６において、プロジェクタ本体と天井との間に放熱用の隙間を形成するために、プロジェクタ引掛けシーリングに他のプロジェクタ引掛けシーリングを取付け、当該他のプロジェクタ引掛けシーリングを天井ローゼットに取付けるようにしてもよい。
【００２２】
また、前述した請求項３において、アームは、プロジェクタ本体と反対側の端部を天井に当接させることで、該プロジェクタ本体を所望の高さ位置に固定するようにしてもよい。
【００２３】
一方、前述した請求項１ないし請求項６において、電源は電圧、交流、直流、相数等に制限はないが、家庭の照明用電源としては、１００Ｖの３相交流が多く用いられるので、これに合わせるのが一般的である。
【００２４】
さらに、前述した請求項１ないし請求項６において、プロジェクタ本体には、その内部に再生装置を設ける構成としてもよいが、該プロジェクタ本体は天井に取付けられるため、取扱いの点から外部の再生装置から映像信号を送信するのが望ましい。この場合の映像信号の送信手段としては、請求項５のワイヤレス（無線）方式の他に、赤外線送信方式、電源ラインに信号を乗せる送信方式、光ファイバによる送信方式等の手段を適用してもよい。
【００２５】
【発明の実施の形態】
以下、本発明の実施の形態によるプロジェクタ装置を添付図面に従って詳細に説明する。
【００２６】
まず、図１ないし図３は本発明に係るプロジェクタ装置の第１の実施の形態を示している。
【００２７】
図面において、１は後述するプロジェクタ装置１１が設置されている部屋で、該部屋１は、床板１Ａ、複数の壁板１Ｂ、天井１Ｃによって囲まれている。また、各壁板１Ｂのうち、一の壁板１Ｂには、部屋１に出入りするためのドア１Ｄが設けられ、該ドア１Ｄの近くには後述する照明装置１６を点灯または消灯するためのスイッチ１Ｅが設けられている。
【００２８】
一方、部屋１の他の壁板１Ｂには、後述のプロジェクタ装置１１が投影した映像を映し出すスクリーン２が掛けられ、該スクリーン２の左，右両側にはスピーカ３，３が配設されている。また、スクリーン２を正面にみる位置の床板１Ａ上にはソファ４が配設され、該ソファ４の近傍にはテーブル５が置かれている。
【００２９】
さらに、テーブル５上には、例えば映画が収録されたビデオテープ、ビデオディスク等を再生する再生装置６と、該再生装置６を操作するときに手元を照らすスタンド７とが載置されている。
【００３０】
ここで、再生装置６は、再生した音声信号を信号コード（図示せず）を介して各スピーカ３に送信する。また、映像信号をワイヤレス発信部（図示せず）から発信し、この信号は後述するプロジェクタ装置１１のワイヤレス受信部によって受信される。
【００３１】
８は天井１Ｃのほぼ中央に設けられた天井ローゼットで、該天井ローゼット８は、部屋１全体を照らす種々の照明装置、例えば後述の照明装置１６等を吊下げた状態で支持するもので、天井１Ｃに予め取付けられている。また、天井ローゼット８は、図２、図３に示す如く、箱型状のケース８Ａ内に一対の雌端子８Ｂ，８Ｂを有し、ケース８Ａの下面には雌端子８Ｂ，８Ｂに係合する後述の雄端子１３Ｂが挿通する端子挿通穴８Ｃ，８Ｃが形成されている。
【００３２】
そして、天井ローゼット８は、ケース８Ａがボルト９，９を介して天井１Ｃに取付けられ、各雌端子８Ｂ，８Ｂが電線１０，１０を介して例えば部屋１の壁板１Ｂに設けられたスイッチ１Ｅに接続されている。
【００３３】
次に、１１は部屋１の天井１Ｃに設けられたプロジェクタ装置で、該プロジェクタ装置１１は、天井ローゼット８に吊下げられた状態で支持され、該天井ローゼット８を介して電源側に接続されている。また、プロジェクタ装置１１は、後述のプロジェクタ本体１２、プロジェクタ引掛けシーリング１３、照明ローゼット１５によって大略構成されている。
【００３４】
１２はプロジェクタ装置１１の本体部分を構成するプロジェクタ本体で、該プロジェクタ本体１２は、箱体状の本体ケース１２Ａと、該本体ケース１２Ａの前側に設けられた投影レンズ１２Ｂとによって大略構成されている。
【００３５】
そして、プロジェクタ本体１２は、天井１Ｃから下がった位置に掛けられたスクリーン２に映像を投影することができるように前側（レンズ１２Ｂ側）が適宜の角度だけ下向きに傾斜して配置されている。また、本体ケース１２Ａには、電源回路１２Ｃ（図３中に点線で図示）が設けられ、該電源回路１２Ｃは、後述するプロジェクタ引掛けシーリング１３の雄端子１３Ｂに電線１２Ｄ，１２Ｄを介して接続されている。さらに、本体ケース１２Ａには、再生装置６のワイヤレス発信部から発信された映像信号を受信するワイヤレス受信部（図示せず）が設けられている。
【００３６】
１３はプロジェクタ本体１２の上側に設けられたプロジェクタ引掛けシーリングで、該引掛けシーリング１３は、天井ローゼット８に係合して取付けることにより、プロジェクタ本体１２を天井１Ｃ側に取付けるものである。ここで、プロジェクタ引掛けシーリング１３は、前側が下向きに傾斜したプロジェクタ本体１２に応じて本体ケース１２Ａに斜めに設けられたシーリングケース１３Ａと、該シーリングケース１３Ａ内から上面を貫通して突出した一対の雄端子１３Ｂ，１３Ｂとによって大略構成されている。
【００３７】
また、各雄端子１３Ｂの先端部は天井ローゼット８の雌端子８Ｂに係合するようにＬ字状に屈曲している。さらに、雄端子１３Ｂ，１３Ｂには、プロジェクタ本体１２の電線１２Ｄ，１２Ｄと、電線１４，１４とが接続され、該電線１４は後述の照明ローゼット１５の雌端子１５Ｂに接続されている。
【００３８】
そして、プロジェクタ引掛けシーリング１３は、各雄端子１３Ｂを天井ローゼット８の各端子挿通穴８Ｃに挿入し、この状態で任意の方向に回転することにより、雄端子１３Ｂを天井ローゼット８の雌端子８Ｂに係合させることができる。この状態では、引掛けシーリング１３は、天井ローゼット８（天井１Ｃ）にプロジェクタ本体１２を吊下げて取付けることができる。
【００３９】
一方、１５はプロジェクタ本体１２の下側に設けられた照明ローゼットで、該照明ローゼット１５は、後述する照明装置１６の照明引掛けシーリング１７が係合するものである。ここで、照明ローゼット１５は、傾斜したプロジェクタ本体１２の本体ケース１２Ａに斜めに設けられたローゼットケース１５Ａと、該ケース１５Ａ内に設けられた一対の雌端子１５Ｂ，１５Ｂとを有し、ケース１５Ａの下面には照明引掛けシーリング１７の雄端子１７Ｂが挿通する端子挿通穴１５Ｃ，１５Ｃが形成されている。また、雌端子１５Ｂ，１５Ｂには電線１４，１４が接続され、これにより、プロジェクタ装置１１を天井ローゼット８に取付けたときには電源側に接続される。
【００４０】
次に、１６はプロジェクタ装置１１の下側に取付けられた照明装置で、該照明装置１６は、部屋１の全体を照らすもので、後述の照明引掛けシーリング１７と電灯１８とによって大略構成されている。
【００４１】
１７は照明装置１６をプロジェクタ装置１１の照明ローゼット１５に取付けるための照明引掛けシーリングで、該引掛けシーリング１７は、前述したプロジェクタ引掛けシーリング１３とほぼ同様に、箱型状のケース１７Ａと、該ケース１７Ａ内から上面を貫通して突出し、先端部がＬ字状に屈曲した一対の雄端子１７Ｂ，１７Ｂとによって大略構成されている。
【００４２】
そして、照明引掛けシーリング１７は、各雄端子１７Ｂを照明ローゼット１５の雌端子１５Ｂに係合させることにより、照明ローゼット１５（プロジェクタ装置１１）に電灯１８を吊下げて取付けることができる。
【００４３】
また、１８は照明引掛けシーリング１７に吊下げられた電灯で、該電灯１８は、図２に示すように、引き紐１８Ａによって点灯または消灯される蛍光灯１８Ｂを有し、該蛍光灯１８Ｂは傘１８Ｃによって覆われている。また、電灯１８には安定器（図示せず）が設けられ、該安定器は電線１９を介して照明引掛けシーリング１７の雄端子１７Ｂに接続されている。
【００４４】
第１の実施の形態によるプロジェクタ装置１１は上述の如き構成を有するもので、最初に、プロジェクタ装置１１を部屋１の天井１Ｃに設置する場合の作業について説明する。
【００４５】
まず、部屋１の天井１Ｃに照明装置１６が取付けられている場合には、天井ローゼット８に対する照明引掛けシーリング１７の係合を解除し、照明装置１６をを取外す。
【００４６】
次に、プロジェクタ装置１１のプロジェクタ引掛けシーリング１３を天井ローゼット８に係合させる。これにより、天井ローゼット８を利用してプロジェクタ装置１１を天井１Ｃ側に取付けることができる。また、プロジェクタ本体１２の電源回路１２Ｃは、電線１２Ｄ、プロジェクタ引掛けシーリング１３の雄端子１３Ｂ、天井ローゼット８の雌端子８Ｂ、電線１０を介してスイッチ１Ｅに接続され、該スイッチ１Ｅを点灯位置に切換えることにより電源側に接続することができる。
【００４７】
また、プロジェクタ装置１１を天井１Ｃ側に取付けたら、該プロジェクタ装置１１の照明ローゼット１５に照明装置１６の照明引掛けシーリング１７を係合させる。これにより、天井ローゼット８にプロジェクタ装置１１を取付けた状態でも、照明装置１６を吊下げて取付けることができる。また、照明装置１６は、電線１９、照明引掛けシーリング１７の雄端子１７Ｂ、照明ローゼット１５の雌端子１５Ｂ、電線１４を介してプロジェクタ引掛けシーリング１３の雄端子１３Ｂに接続することができる。
【００４８】
次に、プロジェクタ装置１１を用いて映画等を観賞する場合の手順について説明する。
【００４９】
最初に、手元を照らすスタンド７を点灯し、部屋１のスイッチ１Ｅは点灯位置のまま照明装置１６の電灯１８を引き紐１８Ａを引張って消灯する。次に、プロジェクタ装置１１の電源を入れ、再生装置６の再生ボタンを押して再生を開始する。これにより、再生装置６は、映像信号をワイヤレス方式でプロジェクタ装置１１に発信し、この映像信号をワイヤレス受信部で受信したプロジェクタ装置１１は、そのプロジェクタ本体１２の投影レンズ１２Ｂからスクリーン２に映像を映し出すことができる。また、音声信号は信号用コードを介して各スピーカ３に送られ、該スピーカ３から出力することができる。
【００５０】
かくして、本実施の形態によれば、プロジェクタ装置１１は、スクリーン２に映像を投影するプロジェクタ本体１２に、天井ローゼット８に係合するプロジェクタ引掛けシーリング１３を設ける構成としているから、プロジェクタ本体１２は、天井１Ｃに予め設けられた照明装置１６用の天井ローゼット８を利用して簡単に取付けることができる。
【００５１】
この結果、従来技術で述べたように部屋１の天井１Ｃを工事することなく、プロジェクタ装置１１を天井１Ｃに吊下げて取付けることができるから、最初の取付作業を簡略化することができ、また、集合住宅等にもプロジェクタ装置１１を取付けることができる。
【００５２】
しかも、天井ローゼット８にプロジェクタ引掛けシーリング１３を係合させることにより、該天井ローゼット８を利用してプロジェクタ本体１２に給電することができるから、この点においても取付作業を簡略化することができる。また、邪魔な電源コードを省略することができるから、プロジェクタ装置１１を常時設置したままの状態とすることができる。
【００５３】
また、プロジェクタ装置１１には、照明装置１６を取付けるための照明ローゼット１５を設けているから、天井ローゼット８をプロジェクタ装置１１が占有した場合でも、照明ローゼット１５に照明引掛けシーリング１７を係合させることによって照明装置１６を設置することができる。これにより、天井ローゼット８を利用してプロジェクタ装置１１と照明装置１６との両方を取付けることができる。
【００５４】
さらに、プロジェクタ本体１２は、ワイヤレス方式により映像信号を受信することができるから、映像信号用の信号コードを廃止して配線作業の手間を省くことができる。
【００５５】
次に、図４および図５は本発明に係るプロジェクタ装置の第２の実施の形態を示している。本実施の形態の特徴は、プロジェクタ引掛けシーリングと照明装置の照明引掛けシーリングが係合する照明ローゼットとが設けられたアダプタを有し、プロジェクタ本体はアダプタに対しアームを用いて取付ける構成としたことにある。なお、本実施の形態では、前述した第１の実施の形態と同一の構成要素には同一の符号を付し、その説明を省略するものとする。
【００５６】
２１は第２の実施の形態によるプロジェクタ装置で、該プロジェクタ装置２１は、天井ローゼット８に吊下げられた状態で支持され、該天井ローゼット８を介して電源側に接続されている。また、プロジェクタ装置２１は、後述のアダプタ２２、アーム２５、プロジェクタ本体２７、位置調整部材２８によって大略構成されている。
【００５７】
２２は天井ローゼット８に取付けられるアダプタで、該アダプタ２２は、天井ローゼット８側となる上面側が一対の雄端子２３Ａ，２３Ａ等からなるプロジェクタ引掛けシーリング２３となっている。また、照明装置１６（照明引掛けシーリング１７）側となる下面側は、一対の端子挿通穴２４Ａ，２４Ａ、雌端子（図示せず）等からなる照明ローゼット２４となっている。そして、引掛けシーリング２３の雄端子２３Ａと照明ローゼット２４の雌端子とは電気的に接続されている。
【００５８】
２５，２５はアダプタ２２を挟むように設けられたほぼ対称形状をなす２本のアームで、該各アーム２５は、長さ方向の途中部位（ほぼ中間部）がアダプタ２２に回動可能に取付けられている。また、各アーム２５の一端側は、プロジェクタ本体２７の幅寸法に応じて広がり、その先端部にはプロジェクタ本体２７を保持する角筒状の保持枠２６が取付けられている。
【００５９】
２７はアダプタ２２に各アーム２５等を用いて取付けられたプロジェクタ本体で、該プロジェクタ本体２７は、前述したプロジェクタ本体１２とほぼ同様に、本体ケース２７Ａ、投影レンズ２７Ｂ等からなり、本体ケース２７Ａに収容された電源回路（図示せず）は電線２７Ｃ，２７Ｃを介してアダプタ２２に設けられたプロジェクタ引掛けシーリング２３の雄端子２３Ａに接続されている。そして、プロジェクタ本体２７は、その本体ケース２７Ａがアーム２５の一端部に設けられた保持枠２６内に挿着されている。
【００６０】
２８，２８はアーム２５，２５の他端部にそれぞれ設けられた位置調整部材で、該各位置調整部材２８は、投影した映像がスクリーン２に合うようにプロジェクタ本体２７の上，下方向の傾きを調整するものである。また、各位置調整部材２８は、アーム２５の他端部に固着された板体２８Ａと、該板体２８Ａに螺着されたボルト２８Ｂとによって構成されている。
【００６１】
ここで、アーム２５の一端側にプロジェクタ本体２７を取付けた状態では、該アーム２５の一端側が下向きに回動し、他端側が上側に回動する。このときに、アーム２５の他端側に設けられた位置調整部材２８は、図５に示すように、ボルト２８Ｂの頭部を天井１Ｃに当接させることによりアーム２５の回動を規制し、プロジェクタ本体２７の位置を固定する。
【００６２】
そして、位置調整部材２８は、板体２８Ａに対するボルト２８Ｂのねじ込み量を浅くしたり、深くしたりすることにより、天井１Ｃとアーム２５の他端部との距離を調整して該アーム２５を回動し、アーム２５の一端側に設けられたプロジェクタ本体２７の傾斜角度を上，下方向に調整することができる。
【００６３】
かくして、このように構成された第２の実施の形態においても、前述した第１の実施の形態とほぼ同様の作用効果を得ることができる。特に、本実施の形態では、プロジェクタ本体２７は、アーム２５に取付けられた保持枠２６内に挿着するようにしているから、保持枠２６を変更することにより種々のプロジェクタ本体を取付けることができる。
【００６４】
また、アーム２５の他端部には位置調整部材２８を設けているから、天井１Ｃの高さ寸法、スクリーン２の高さ位置等に応じてプロジェクタ本体２７の投影方向を上，下方向に調整することができ、部屋１の大きさ、スクリーン２位置の変更等に広く対応することができる。
【００６５】
次に、図６は本発明に係るプロジェクタ装置の第３の実施の形態を示している。本実施の形態の特徴は、プロジェクタ本体には照明装置を一体的に設ける構成としたことにある。なお、本実施の形態では、前述した第１の実施の形態と同一の構成要素には同一の符号を付し、その説明を省略するものとする。
【００６６】
３１は天井ローゼット８に取付けられた第３の実施の形態によるプロジェクタ装置で、該プロジェクタ装置３１は、天井ローゼット８に吊下げられた状態で支持され、該天井ローゼット８を介して電源側に接続されている。また、プロジェクタ装置３１は、後述のプロジェクタ引掛けシーリング３２、プロジェクタ本体３３、第１の位置調整部材３５、ダウンライト３６、電灯３８等によって大略構成されている。
【００６７】
３２はプロジェクタ引掛けシーリングで、該引掛けシーリング３２は、第１の実施の形態によるプロジェクタ引掛けシーリング１３とほぼ同様に、天井ローゼット８に係合して取付けることにより、後述のプロジェクタ本体３３を天井１Ｃ側に取付け、電源側に接続するものである。また、引掛けシーリング３２の外周側には、後述する電灯３８のベースをなす上蓋３８Ａが取付けられている。また、引掛けシーリング３２の下側には、プロジェクタ本体３３との連結部分を覆うように蛇腹３２Ａが設けられている。
【００６８】
３３はプロジェクタ引掛けシーリング３２の下側に取付けられたプロジェクタ本体で、該プロジェクタ本体３３は、第１の実施の形態によるプロジェクタ本体１２とほぼ同様に、本体ケース３３Ａ、投影レンズ３３Ｂ等からなり、本体ケース３３Ａに収容された電源回路（図示せず）はプロジェクタ引掛けシーリング３２の雄端子に接続されている。
【００６９】
また、プロジェクタ本体３３は、投影レンズ３３Ｂによる投影方向が上，下方向に移動できるように引掛けシーリング３２に対し回動可能に連結されている。さらに、本体ケース３３Ａには、後述する電灯３８の一部を構成する常夜灯３４が取付けられている。
【００７０】
３５はプロジェクタ引掛けシーリング３２とプロジェクタ本体３３の本体ケース３３Ａとに亘って設けられたプロジェクタ位置調整部材で、該位置調整部材３５は、投影した映像がスクリーン２に合うようにプロジェクタ本体３３の上，下方向の傾きを調整するものである。また、プロジェクタ位置調整部材３５は、本体ケース３３Ａの側面に水平方向に突出して設けられた第１のブラケット３５Ａと、該第１のブラケット３５Ａに対応するように引掛けシーリング３２の周面から水平方向に延びて設けられた第２のブラケット３５Ｂと、前記第１のブラケット３５Ａに下側から上側に向けて螺着され、上部側が第２のブラケット３５Ｂに挿通されたボルト３５Ｃと、第２のブラケット３５Ｂを挟むように該ボルト３５Ｃに螺着された２個のナット３５Ｄとによって構成されている。
【００７１】
そして、プロジェクタ位置調整部材３５は、ボルト３５Ｃの長さ方向に対してナット３５Ｄの位置を移動し、第１のブラケット３５Ａと第２のブラケット３５Ｂとの間隔寸法を調整することにより、引掛けシーリング３２に対するプロジェクタ本体３３の取付角度を上，下方向に調整するものである。
【００７２】
３６はプロジェクタ本体３３の下側に一体的に設けられた照明装置の１つを構成するダウンライトで、該ダウンライト３６は、有蓋筒状のライトケース３６Ａと、該ライトケース３６Ａ内に設けられた電球３６Ｂとによって大略構成されている。また、ライトケース３６Ａの上側には、プロジェクタ本体３３との連結部分を覆うように蛇腹３６Ｃが設けられている。
【００７３】
３７はプロジェクタ本体３３の本体ケース３３Ａとダウンライト３６のライトケース３６Ａとに亘って設けられたライト位置調整部材で、該位置調整部材３７は、プロジェクタ本体３３に対するダウンライト３６の取付角度を調整するものである。また、ライト位置調整部材３７は、前述したプロジェクタ位置調整部材３５とほぼ同様に、第１のブラケット３７Ａ、第２のブラケット３７Ｂ、ボルト３７Ｃおよび２個のナット３７Ｄとによって構成されている。
【００７４】
そして、ライト位置調整部材３７は、ボルト３７Ｃの長さ方向に対してナット３７Ｄの位置を移動し、第１のブラケット３７Ａと第２のブラケット３７Ｂとの間隔寸法を調整することにより、プロジェクタ本体３３に対するダウンライト３６の取付角度を調整するものである。
【００７５】
３８はプロジェクタ装置３１と一体的に設けられた照明装置の１つを構成する電灯で、該電灯３８は、プロジェクタ引掛けシーリング３２の外周側に取付けられた円板状の上蓋３８Ａと、該上蓋３８Ａから下向きに延びた支持部材３８Ｂに支持された蛍光灯３８Ｃと、前記上蓋３８Ａに取付けられた安定器３８Ｄと、前記上蓋３８Ａに取付けられ、前記蛍光灯３８Ｃ、ダウンライト３６、常夜灯３４を切換える切換スイッチ３８Ｅと、該切換スイッチ３８Ｅを操作するために下側に延びて設けられた引き紐３８Ｆと、プロジェクタ本体３３、蛍光灯３８Ｃ等を覆う照明フード３８Ｇとによって大略構成されている。また、照明フード３８Ｇには、プロジェクタ本体３３の投影レンズ３３Ｂが上，下方向に調整可能に突出する開口部３８Ｈが形成されている。
【００７６】
かくして、このように構成された第３の実施の形態においても、前述した第１の実施の形態とほぼ同様の作用効果を得ることができる。特に、本実施の形態では、プロジェクタ本体３３には、照明装置を構成するダウンライト３６、電灯３８を一体的に設けているから、プロジェクタ本体３３とダウンライト３６、電灯３８とをコンパクトに形成することができ、外観上の見栄えを良好にすることができる。
【００７７】
また、プロジェクタ本体３３とダウンライト３６、電灯３８とを予め組立てることにより、プロジェクタ引掛けシーリング３２を天井ローゼット８に係合させるだけで、これらを天井１Ｃに一括して取付けることができ、取付作業を省略することができる。
【００７８】
さらに、ダウンライト３６によって再生装置６等を操作するときに手元を照らすことができるから、スタンド７を別途用意する必要がなく、準備作業を簡略化することができる。
【００７９】
なお、第１の実施の形態では、天井ローゼット８にプロジェクタ引掛けシーリング１３を直接的に取付けた場合を例に挙げて説明した。しかし、本発明はこれに限らず、例えばプロジェクタ引掛けシーリング１３にローゼットと引掛けシーリングとを備えた他のプロジェクタ引掛けシーリングを取付け、他のプロジェクタ引掛けシーリングを天井ローゼット８に取付ける構成としてもよい。この場合には、他のプロジェクタ引掛けシーリングがスペーサとなって天井１Ｃとの間に隙間を確保し、プロジェクタ本体１２の熱を効率よく放出することができる。この構成は他の実施の形態にも同様に適用することができる。
【００８０】
また、天井ローゼット８の形式とプロジェクタ引掛けシーリング１３の形式が異なる場合には、前述した他のプロジェクタ引掛けシーリングに、それぞれに対応したローゼットと引掛けシーリングとを設けることにより、変換アダプタとして用いることもできる。
【００８１】
また、第１の実施の形態では、再生装置６とプロジェクタ本体１２とは映像信号をワイヤレス方式で送受信するものとして述べたが、本発明はこれに限るものではなく、例えば映像信号用のコード、光ファイバ等を天井１Ｃ、壁板１Ｂに沿わせ、このコード等によって再生装置６からプロジェクタ本体１２に映像信号を送信する構成としてもよい。また、電源用の電線１０に映像信号を乗せて映像信号を送信する構成としてもよい。この構成は他の実施の形態にも同様に適用することができる。
【００８２】
一方、第２の実施の形態では、アーム２５の他端部にプロジェクタ本体２７の傾斜角度を調整する位置調整部材２８を設けた場合を例に挙げて説明した。しかし、本発明はこれに限らず、例えばアダプタ２２にプロジェクタ本体２７を支持するアームを回動可能に取付け、該アームを任意の位置に回動させた状態で、該アームをボルト等を用いてアダプタ２２に固定することにより、プロジェクタ本体２７を上，下方向に位置調整する構成としてもよい。
【００８３】
さらに、第３の実施の形態では、プロジェクタ本体３３と一体的にダウンライト３６を設けた場合を例に挙げて説明したが、本発明はこれに限らず、例えばスポットライト等の他の照明をプロジェクタ本体３３と一体的に設ける構成としてもよい。
【００８４】
【発明の効果】
以上詳述した通り、請求項１の発明によれば、前方のスクリーンに映像を投影するプロジェクタ本体は、プロジェクタ引掛けシーリングを天井ローゼットに係合することにより天井側に取付けると共に電源に接続する構成としている。従って、プロジェクタ本体を天井に取付ける場合には、天井に予め設けられた照明装置用の天井ローゼットを利用し、該天井ローゼットにプロジェクタ引掛けシーリングを係合させるだけでプロジェクタ本体を簡単に取付けることができる。
【００８５】
この結果、従来技術で述べたように天井を工事することなく、プロジェクタ本体を天井に吊下げて取付けることができるから、最初の取付作業を簡略化することができ、また、集合住宅等にも取付けることができる。
【００８６】
しかも、天井ローゼットは電源に接続されているから、該天井ローゼットを利用してプロジェクタ本体に給電することができ、取付作業を簡略化することができる。また、邪魔な電源コードを省略することができるから、プロジェクタ本体を常時設置したままの状態とすることができる。
【００８７】
請求項２の発明によれば、プロジェクタ本体には、照明装置を吊下げると共に電源に接続するため、該照明装置に設けられた照明引掛けシーリングが係合する照明ローゼットを設ける構成としている。従って、照明装置用の天井ローゼットをプロジェクタ引掛けシーリングで占有した場合でも、プロジェクタ本体に設けられた照明ローゼットに照明引掛けシーリングを係合させることによって照明装置を設置することができ、天井ローゼットを利用してプロジェクタ本体と照明装置との両方を取付けることができる。
【００８８】
請求項３の発明によれば、プロジェクタ引掛けシーリングと照明装置の照明引掛けシーリングが係合する照明ローゼットとが設けられたアダプタを有し、プロジェクタ本体は該アダプタに対しアームを用いて取付ける構成としている。従って、アームは種々のプロジェクタ本体をアダプタ側に取付けることができる。また、アダプタに設けられた照明ローゼットに照明引掛けシーリングを係合させることによって照明装置を設置することができる。
【００８９】
請求項４の発明によれば、プロジェクタ本体には、照明装置を一体的に設ける構成としているので、プロジェクタ本体と照明装置とをコンパクトに形成することができ、見栄えを良好にすることができる。また、プロジェクタ本体等に対する照明装置の取付作業を省略することができる。
【００９０】
請求項５の発明によれば、プロジェクタ本体は、ワイヤレス方式により映像信号を受信する構成としているので、信号コードを用いることなく映像信号を受信することができるから、配線作業を省略することができる。
【００９１】
請求項６の発明によると、プロジェクタ本体は、映像を投影する位置をスクリーンに合わせて上，下方向に調整可能に設ける構成としているので、スクリーンの高さ位置を変更した場合でも、プロジェクタ本体が投影する映像の位置をスクリーンの位置に合わせることができ、部屋の大きさ、スクリーンの位置等に広く対応することができる。
【図面の簡単な説明】
【図１】本発明の第１の実施の形態によるプロジェクタ装置が設けられた部屋の全体構成図である。
【図２】図１中のプロジェクタ装置、照明装置等を拡大して示す分解斜視図である。
【図３】プロジェクタ装置、照明装置等を拡大して示す縦断面図である。
【図４】本発明の第２の実施の形態によるプロジェクタ装置を照明装置等と一緒に拡大して示す分解斜視図である。
【図５】図４中の位置調整部材と天井との関係を示す要部拡大断面図である。
【図６】本発明の第３の実施の形態によるプロジェクタ装置を拡大して示す縦断面図である。
【符号の説明】
１  部屋
１Ｃ  天井
２  スクリーン
６  再生装置
８  天井ローゼット
１１，２１，３１  プロジェクタ装置
１２，２７，３３  プロジェクタ本体
１３，２３，３２  プロジェクタ引掛けシーリング
１５，２４  照明ローゼット
１６  照明装置
１７  照明引掛けシーリング
２２  アダプタ
２５  アーム
２８  位置調整部材
３５  プロジェクタ位置調整部材
３６  ダウンライト（照明装置）
３８  電灯（照明装置）
【図１】
2004184768.tif 000003
【図２】
2004184768.tif 000004
【図３】
2004184768.tif 000005
【図４】
2004184768.tif 000006
【図５】
2004184768.tif 000007
【図６】
2004184768.tif 000008